(57)【要約】【課題】患者の不安を和らげ、安心感を与えることができる粒子線治療システムを提供する。【解決手段】荷電粒子ビームを設定されたエネルギーまで加速する加速器１と、加速器１から出射されたビームを照射室２ａ又は２ｂに輸送するビーム輸送系３と、照射室２ａに設置され患者４ａの患部にビーム照射する照射装置６ａと、照射室２ｂに設置され患者４ｂの患部にビーム照射する照射装置６ｂとを備えた粒子線治療システムにおいて、患者４ａへのビーム照射準備中及びビーム照射中の進捗情報を取得する情報提供システム１５ａと、情報提供システム１５ａで取得した進捗情報を患者４ａに提供する表示装置１６ａ及びアナウンス装置１７ａと、患者４ｂへのビーム照射準備中及びビーム照射中の進捗情報を取得する情報提供システム１５ｂと、情報提供システム１５ｂで取得した進捗情報を患者４ｂに提供する表示装置１６ｂ及びアナウンス装置１７ｂとを備える。【選択図】図１
2008136707.tif 000002
【特許請求の範囲】
【請求項１】
荷電粒子ビームを設定されたエネルギーとなるまで加速する加速器と、前記加速器から出射された荷電粒子ビームを照射室に輸送するビーム輸送系と、前記照射室に設置され、荷電粒子ビームを患者の患部に照射する照射装置とを備えた粒子線治療システムにおいて、
ビーム照射準備中及びビーム照射中のうち少なくとも一方の進捗情報を取得する情報収集手段と、
前記情報収集手段で取得した進捗情報を患者に提供する情報提供手段とを備えたことを特徴とする粒子線治療システム。
【請求項２】
請求項１記載の粒子線治療システムにおいて、前記ビーム照射準備中の進捗情報は、患者の位置決めの進捗情報、前記加速器及び前記ビーム輸送系の準備の進捗情報、並びに前記照射装置の準備の進捗情報を含むことを特徴とする粒子線治療システム。
【請求項３】
請求項２記載の粒子線治療システムにおいて、前記ビーム照射準備中の進捗情報は、患者の認証情報を含むことを特徴とする粒子線治療システム。
【請求項４】
請求項１記載の粒子線治療システムにおいて、前記ビーム照射中の進捗情報は、目標照射線量に対する積算照射線量の割合を表す照射経過情報を含むことを特徴とする粒子線治療システム。
【請求項５】
請求項１記載の粒子線治療システムにおいて、前記ビーム照射中の進捗情報は、患部へのビーム照射時を表すビーム照射情報を含むことを特徴とする粒子線治療システム。
【請求項６】
請求項１記載の粒子線治療システムにおいて、前記ビーム照射中の進捗情報は、前記加速器、前記ビーム輸送系、及び前記照射装置の動作状況が正常であるかどうかを表すシステム動作情報を含むことを特徴とする粒子線治療システム。
【請求項７】
請求項１〜６のいずれか１項記載の粒子線治療システムにおいて、複数の進捗情報項目のうちのいずれかを選択可能な設定手段を備え、前記情報提供手段は、前記設定手段で選択した項目の進捗情報を患者に提供することを特徴とする粒子線治療システム。
【請求項８】
請求項１記載の粒子線治療システムにおいて、前記情報提供手段は、前記情報収集手段で取得した進捗情報を表示する表示装置を有することを特徴とする粒子線治療システム。
【請求項９】
請求項１記載の粒子線治療システムにおいて、前記情報提供手段は、前記情報収集手段で取得した進捗情報に基づき予め設定記憶された音を出力する音出力装置を有することを特徴とする粒子線治療システム。
【発明の詳細な説明】
【技術分野】
【０００１】
本発明は、荷電粒子ビームを患者の患部に照射して治療する粒子線治療システムに関する。
【背景技術】
【０００２】
癌などの患者の患部に、陽子及び重イオンなどの荷電粒子ビームを照射する治療方法が知られている。この治療に用いる治療システムの大規模なものは、シンクロトロン等の加速器、ビーム輸送系、及び複数の照射室を備えている。加速器で設定されたエネルギーとなるまで加速した荷電粒子ビームを、ビーム輸送系で選択した一つの照射室に供給し、照射装置でビーム照射範囲を患部形状に合わせて整形し、治療ベッドに固定された患者の患部に照射する。
【０００３】
この粒子線治療では、患者の患部に対し一方向若しくは複数の方向からビーム照射を行う。一方向のビーム照射に掛かる時間は、患部の位置等にもよるが１５〜３０分程度であり、その内訳は、ビーム照射準備（詳細には、例えば患者の位置決め、加速器及びビーム輸送系の準備、並びに照射装置の準備等）の時間が１０分〜２５分程度、ビーム照射の時間が５分程度である。また、ビーム照射準備中又はビーム照射中の照射室とは別室の照射室においては、次に治療を受ける予定の患者が準備して待つ必要がある。このように患者は治療ベッドに固定された状態で過ごさなくてはならない。
【０００４】
そこで、例えば監視カメラ、モニタ装置、マイク、及びスピーカを設置した照射室が開示されている（例えば、特許文献１参照）。この従来技術では、医師等が自身をモニタ装置に映し出しつつ患者とコミュニケーションを図り、ＢＧＭを流すようになっている。
【０００５】
【特許文献１】特開平１０−７１２１３号公報（第４−第５頁）
【発明の開示】
【発明が解決しようとする課題】
【０００６】
しかしながら、上記従来技術には以下のような改善の余地があった。
上記特許文献１には明確に記載されていないが、例えば、医師等は、ビーム照射準備が完了したことを確認してビーム照射を開始させるときに、ビーム照射を開始する旨を患者にアナウンスしたり、或いはビーム照射中にＢＧＭを流したりする。ところが、ビーム照射準備中或いはビーム照射中の進捗状況は知らされず、患者によっては不安になる可能性があった。
【０００７】
本発明の目的は、患者の不安を和らげ、安心感を与えることができる粒子線治療システムを提供することにある。
【課題を解決するための手段】
【０００８】
（１）上記目的を達成するために、本発明は、荷電粒子ビームを設定されたエネルギーとなるまで加速する加速器と、前記加速器から出射された荷電粒子ビームを照射室に輸送するビーム輸送系と、前記照射室に設置され、荷電粒子ビームを患者の患部に照射する照射装置とを備えた粒子線治療システムにおいて、ビーム照射準備中及びビーム照射中のうち少なくとも一方の進捗情報を取得する情報収集手段と、前記情報収集手段で取得した進捗情報を患者に提供する情報提供手段とを備える。
【０００９】
本発明においては、ビーム照射準備中及びビーム照射中のうち少なくとも一方の進捗情報を情報収集手段で取得し、その取得した進捗情報を表示装置や音出力装置等の情報提供手段により患者に提供する。これにより、患者に進捗情報を知らせることができ、患者の不安感を和らげ、安心感を与えることができる。
【００１０】
（２）上記（１）において、好ましくは、患者の位置決めの進捗情報、前記加速器及び前記ビーム輸送系の準備の進捗情報、並びに前記照射装置の準備の進捗情報を含む。
【００１１】
（３）上記（２）において、好ましくは、前記ビーム照射準備中の進捗情報は、患者の認証情報を含む。
【００１２】
（４）上記（１）において、好ましくは、前記ビーム照射中の進捗情報は、目標照射線量値に対する積算照射線量値の割合を表す照射経過情報を含む。
【００１３】
（５）上記（１）において、好ましくは、前記ビーム照射中の進捗情報は、患部へのビーム照射時を表すビーム照射情報を含む。
【００１４】
（６）上記（１）において、好ましくは、前記ビーム照射中の進捗情報は、前記加速器、前記ビーム輸送系、及び前記照射装置の動作状況が正常であるかどうかを表すシステム動作情報を含む。
【００１５】
（７）上記（１）〜（６）のいずれか１つにおいて、好ましくは、複数の進捗情報項目のうちのいずれかを選択可能な設定手段を備え、前記情報提供手段は、前記設定手段で選択した項目の進捗情報を患者に提供する。
【００１６】
（８）上記（１）において、好ましくは、前記情報提供手段は、前記情報収集手段で取得した進捗情報を表示する表示装置を有する。
【００１７】
（９）上記（１）において、好ましくは、前記情報提供手段は、前記情報収集手段で取得した進捗情報に基づき予め設定記憶された音を出力する音出力装置を有する。
【発明の効果】
【００１８】
本発明によれば、患者の不安を和らげ、安心感を与えることができる。
【発明を実施するための最良の形態】
【００１９】
以下、本発明の一実施形態を、図面を参照しつつ説明する。
図１は、本発明の粒子線治療システムの一実施形態の全体構成を表す概略図である。なお、本実施形態の粒子線治療システムでは、１つの加速器に対し２つの照射室を備えた場合を例にとって説明する。
【００２０】
この図１において、粒子線治療システムは、荷電粒子ビームを設定されたエネルギーとなるまで加速する加速器１と、この加速器１から出射された荷電粒子ビームを照射室２ａ，２ｂのうちの選択した一方に輸送するビーム輸送系３と、照射室２ａに設置され患者４ａを位置決め固定する治療ベッド５ａと、この治療ベッド５ａに固定された患者４ａの患部に荷電粒子ビームを照射する照射装置６ａと、照射室２ｂに設置され患者４ｂを位置決め固定する治療ベッド５ｂと、この治療ベッド５ｂに固定された患者４ｂの患部に荷電粒子ビームを照射する照射装置６ｂとを備えている。
【００２１】
加速器１は、詳細を図示しないが、例えばイオン源と、このイオン源で発生した荷電粒子を所定エネルギーまで加速する前段加速器と、この前段加速器からの荷電粒子ビームをさらに加速するシンクロトロン（又はサイクロトロンでもよい）とで構成されている。シンクロトロンは、ビーム周回軌道上の高周波加速空胴にて荷電粒子ビームを加速させ、設定エネルギー（例えば７０〜２５０ＭｅＶ）まで高めるようになっている。そして、設定エネルギーまで高めた荷電粒子ビームを周回軌道から離脱させ、ビーム輸送系３に出射するようになっている。
【００２２】
ビーム輸送系３は、加速器１から荷電粒子ビームが入射されるビーム経路７ａと、このビーム経路７ａに切替え電磁石（偏向電磁石）８ａを介し接続され、荷電粒子ビームを照射装置６ａに輸送するビーム経路９ａと、ビーム経路７ａに接続されたビーム経路７ｂと、このビーム経路７ｂに切替え電磁石（偏向電磁石）８ｂを介し接続され、荷電粒子ビームを照射装置６ｂに輸送するビーム経路９ｂとで構成されている。そして、例えばビーム経路７ａの電磁石（図示せず）、切替え電磁石８ａ、及びビーム経路９ａの電磁石（図示せず）を励磁することにより、荷電粒子ビームを照射装置６ａに輸送するようになっている。また。例えばビーム経路７ａの電磁石、ビーム経路７ｂの電磁石（図示せず）、切替え電磁石８ｂ、及びビーム経路９ｂの電磁石（図示せず）を励磁し、切替え電磁石８ａを励磁しないことにより、荷電粒子ビームを照射装置６ｂに輸送するようになっている。
【００２３】
照射装置６ａ（又は６ｂ、この段落における括弧内の対応同じ）は、ビーム経路９ａ（又は９ｂ）の一部とともに回転ガントリー（図示せず）に設置されており、この回転ガントリーによって患者４ａ（又は４ｂ）の周囲を回転して、任意の方向から患者４ａ（又は４ｂ）の患部へビーム照射するようになっている。このとき、照射装置６ａ（又は６ｂ）は、例えば、散乱体（図示せず）を用いてビームの照射線量分布を一様に拡大し、患者４ａの患部形状に合わせて形成された患者固有の治具を用いてビームの照射範囲を整形するようになっている。また、照射装置６ａ（又は６ｂ）には、患者４ａ（又は４ｂ）の位置決めの際に患部を撮像するためのＸ線撮像部（図示せず）、前述した治具の装着有無を検出するための検出部（図示せず）、及びビームの照射線量を計測する線量モニタ１０ａ（又は１０ｂ）等が設けられている。
【００２４】
そして、加速器１及びビーム輸送系３を制御する加速・輸送制御システム１１と、照射室２ａに対応し、照射装置６ａ及び治療ベッド５ａを制御する照射制御システム１２ａと、照射室２ｂに対応し、照射装置６ｂ及び治療ベッド５ｂを制御する照射制御システム１２ｂと、患者の照射カルテ情報（詳細には、予め撮像された患部画像に基づいて策定された患者の治療計画情報であり、患者の識別番号や名前等の患者情報と、ビームエネルギー、ビーム照射方向、及び照射線量等のシステム設定情報との組み合わせ）を管理する治療管理システム１３と、この治療管理システム１３から患者の照射カルテ情報を取得するとともに、加速・輸送制御システム１１及び照射制御システム１２ａ，１２ｂを統括して制御する全系制御システム１４とが備えられている。
【００２５】
加速・輸送制御システム１１は、全系制御システム１４からの指令信号に基づき加速器１及びビーム輸送系３を制御運転し、その運転情報を全系制御システム１１に出力するようになっている。照射制御システム１２ａ（又は１２ｂ、この段落における括弧内の対応同じ）は、医師等が操作可能な操作装置（図示せず）及び表示装置（図示せず）を有し、全系制御システム１１からの指令信号及び医師の操作指示に応じて照射装置６ａ（又は６ｂ）や治療ベッド５ａ（又は５ｂ）を制御運転し、その運転情報を全系制御システム１１に出力するようになっている。
【００２６】
全系制御システム１４は、照射室２ａ，２ｂの照射スケジュールを決定し、この照射スケジュールに基づいて患者の照射カルテ情報を順次選択するようになっている。そして、例えば照射室２ａ又は２ｂに入室する患者の識別番号が読み取られ、その識別番号が照射カルテ情報の識別番号に合致すると認証された場合、その照射室２ａ又は２ｂ及び照射カルテ情報に基づいた指令信号を加速・輸送制御システム１１及び照射制御システム１２ａ又は１２ｂに出力し、ビーム照射準備を行わせるようになっている。また、例えば加速・輸送制御システム１１及び照射制御システム１２ａ又は１２ｂから入力した運転情報に基づき、ビーム照射準備が完了したことを確認した場合は、その表示信号を照射制御システム１２ａ又は１２ｂに出力し、その後の医師のビーム照射開始の操作指示により加速・輸送制御システム１１及び照射制御システム１２ａ又は１２ｂに指令信号を出力し、ビーム照射を行わせるようになっている。また、ビーム照射中においては、照射制御システム１２ａ又は１２ｂを介し線量モニタ１０ａ又は１０ｂの測定信号を入力して照射線量を積算し、目標照射線量に対する積算照射線量の割合を演算する。また、積算照射線量が目標照射線量に達したかどうかを判定し、目標照射線量に達した場合は、指令信号を出力してビーム照射を停止させるようになっている。また、システムの動作状況（詳細には、加速器１、ビーム輸送系３、及び照射装置６ａ又は６ｂが正常に動作しているどうか）を確認し、例えば異常を検出した場合は、指令信号を出力してビーム照射を一時停止させるようになっている。
【００２７】
ここで本実施形態の大きな特徴として、照射室２ａに対応し、ビーム照射準備中の進捗情報（詳細には、患者４ａの認証情報、患者４ａの位置決めの進捗情報、加速器１及びビーム輸送系３の準備の進捗情報、並びに照射装置６ａの準備の進捗情報）及びビーム照射中の進捗情報（詳細には、照射経過情報、ビーム照射情報、及びシステム動作情報）を全系制御システムから取得する情報提供システム１５ａと、この情報提供システム１５ａで取得した進捗情報を表示する表示装置１６ａと、情報提供システム１５ａで取得した進捗情報に基づき予め設定記憶された音声アナウンス（あるいは効果音やＢＧＭ等でもよい）を出力するアナウンス装置１７ａ（音出力装置）とが備えられている。また同様に、照射室２ｂに対応し、ビーム照射準備中の進捗情報（詳細には、患者４ｂの認証情報、患者４ｂの位置決めの進捗情報、加速器１及びビーム輸送系３の準備の進捗情報、並びに照射装置６ｂの準備の進捗情報）及びビーム照射中の進捗情報（詳細には、ビーム照射経過情報、ビーム照射情報、及びシステム動作情報）を全系制御システム１４から取得する情報提供システム１５ｂと、この情報提供システム１５ｂで取得した進捗情報を表示する表示装置１６ｂと、情報提供システム１５ｂで取得した進捗情報に基づき予め設定記憶された音声アナウンス（あるいは効果音やＢＧＭ等でもよい）を出力するアナウンス装置１７ｂ（音出力装置）とが備えられている。
【００２８】
表示装置１６ａ，１６ｂは、患者の見やすい位置にそれぞれ設置されており、これら表示装置１６ａ，１６ｂに表示される画面上の文字等は、治療ベッドに固定された患者が認識しやすいような大きさとすることが好ましく、その表示色に関しても、色覚障害を持った患者が認識しやすい色を選択することが好ましい。また、アナウンス装置１７ａ，１７ｂは、視力が弱い患者や眼を治療する患者に対し進捗情報を提供するためのものであり、患者の聞き取りやすい位置にそれぞれ設置されているものとする。
【００２９】
図２は、表示装置１６ａに表示される進捗情報画面を一例として表す図である。なお、表示装置１６ｂに表示される進捗情報画面については、同様の構成であるため、説明を省略する。
【００３０】
この図２において、進捗情報画面２０は、患者情報表示領域２１と、照射準備進捗情報表示領域２２と、照射進捗情報表示領域２３とで構成されている。患者情報表示領域２１は、識別番号（ＩＤ）表示領域２１ａと、名前表示領域２１ｂと、認証表示領域２１ｃとを有している。認証表示領域２１ｃは、例えば患者４ａの認証前は“未認証”と表示し、例えば患者４ａの認証後は背景色が変わるとともに“認証済”と表示するようになっている。
【００３１】
照射準備進捗情報表示領域２２は、患者位置決めの進捗情報表示領域２２ａと、加速器準備の進捗情報表示領域２２ｂと、照射装置準備の進捗情報表示領域２２ｃとを有している。これら進捗情報領域２２ａ〜２２ｃは、各準備の到達度（進捗具合）を棒グラフで表示するようになっている。具体的に説明すると、患者位置決めの進捗情報表示領域２２ａは、例えば照射装置６ａのＸ線撮像部による照射部位の撮像や治療ベッド５ａの位置制御等の準備項目が終了したかどうかにより、段階的に表示するようになっている。加速器準備の進捗情報表示領域２２ｂは、例えば加速器１の設定エネルギーの切替え準備やビーム輸送系３のコース切替え等の準備項目が終了したかどうかにより、段階的に表示するようになっている。なお、加速器１及びビーム輸送系３が別の照射室４ｂに専有されている場合は、０％を表示するようになっている。照射装置準備の進捗情報表示領域２２ｃは、例えば照射装置６ａの治具装着や照射角度の切替え等の準備項目が終了したかどうかにより、段階的に表示するようになっている。
【００３２】
照射進捗情報表示領域２３は、照射経過情報表示領域２３ａと、ビーム照射情報表示領域２３ｂと、システム動作状況表示領域２３ｃとを有している。照射経過情報表示領域２３ａは、一方向のビーム照射における目標照射線量に対する積算照射線量の割合（到達度）を棒グラフで表示するようになっている。照射情報表示領域２３ｂは、間欠的に行われるビーム照射（詳しくは、例えば全系制御システムから加速・輸送制御システムへのビーム出射指令）のタイミングに応じて点灯表示するようになっている。システム動作状況表示領域２３ｃは、システムの動作状況が正常である場合は“正常”と表示し、異常が検出されてビーム照射を一時停止した場合は“機器調整中”と表示するようになっている。
【００３３】
そして、例えば一方向のビーム照射が終了して患者４ａの治療が終了した場合、進捗情報画面２０上の患者情報表示領域２１、照射準備進捗情報表示領域２２、及び照射進捗情報表示領域２３がクリアされるようになっている。また、例えば一方向のビーム照射が終了したものの、他方向のビーム照射を続けて行う場合は、進捗情報画面２０上の患者情報表示領域２１、及び照射準備進捗情報表示領域２２の患者位置決めの進捗情報表示領域２２ａはそのままの表示が維持され、加速器準備の進捗情報表示領域２２ｂ、照射装置の進捗情報表示領域２２ｃ、及び照射進捗情報表示領域２３がクリアされるようになっている。
【００３４】
なお、上記において、情報提供システム１５ａ，１５ｂは、特許請求の範囲記載のビーム照射準備中及びビーム照射中のうち少なくとも一方の進捗情報を取得する情報収集手段を構成し、表示装置１６ａ，１６ｂ及びアナウンス装置１７ａ，１７ｂは、特許請求の範囲記載の情報収集手段で取得した進捗情報を患者に提供する情報提供手段を構成する。
【００３５】
次に、本実施形態の動作及び作用効果を説明する。
【００３６】
例えば照射スケジュールに基づいて患者４ａの治療を実施する場合について説明する。まず、患者４ａが照射室２ａ内に入室して治療ベッド５ａに固定される。このとき、表示装置１６ａの進捗情報画面２０の識別番号表示領域２１ａ及び名前表示領域２１ｂには、患者４ａの識別番号及び名前が表示される。そして、患者４ａの認証が行われると、進捗情報画面２０の認証表示領域２１ｃには“認証済”が表示される。したがって、医師はもとより、患者４ａ自身が認証されたことを確認できる。
【００３７】
そして、医師は、照射装置６ａの照射点（アイソセンタ）を患者４ａの患部に位置合わせるため、照射装置６ａのＸ線撮像部で得られる画像に基づき治療ベッド５ａの位置を調整する。これにより、表示装置１６ａの進捗情報画面２０の患者位置決めの進捗情報表示領域２２ａに表示される到達度が１００％となる。アナウンス装置１７ａは、例えば「位置決めの準備が完了しました」といった音声アナウンスを発する。その後、医師は、照射装置６ａに患者４ａ用の治具を設置し、照射装置６ａの照射角度を調整する。これにより、表示装置１６ａの進捗情報画面２０の照射装置準備の進捗情報表示領域２２ｃに表示される到達度が１００％となる。アナウンス装置１７ａは、例えば「照射装置の準備が完了しました」といった音声アナウンスを発する。
【００３８】
また、上述した患者ａの位置決め及び照射装置６ａの準備と平行して、加速器１の設定エネルギーの切替え準備、及びビーム輸送系３の照射室４ａへのコース切替えが行われる。これにより、表示装置１６ａの進捗情報画面２０の加速器準備の進捗情報表示領域２２ｂに表示される到達度が１００％となる。アナウンス装置１７ａは、例えば「加速器の準備が完了しました」といった音声アナウンスを発する。そして、表示装置１６ａの進捗情報画面２０のビーム照射準備の進捗情報表示領域２２における全ての進捗情報表示領域２２ａ〜２２ｃに表示される到達度が１００％になると、アナウンス装置１７ａは「照射準備が完了しました」といった音声アナウンスを発する。
【００３９】
このようにして、患者４ａはビーム照射準備中の進捗状況を把握することができる。なお、例えば加速器の進捗情報表示領域２２ｂに表示される到達度が０％のまま維持されれば、加速器１及びビーム輸送系３が別の照射室２ｂに専有されていることも把握できる。
【００４０】
ビーム照射準備が完了した後、医師はビーム照射開始を操作指示すると、加速器１が運転制御されてビーム照射が開始される。これにより、アナウンス装置１７ａは、「照射が開始されました」といった音声アナウンスを発する。表示装置１６ａの進捗情報画面２０のビーム照射情報表示領域２３ｂには、ビーム照射時が点灯表示される。したがって、患者４ａは実際にビーム照射が行われているかどうかを確認できる。また、進捗情報画面２０の照射経過情報表示領域２３ａには、一方向のビーム照射における目標照射線量に対する積算照射線量の割合が表示される。また、ビーム照射情報表示領域２３ｂに表示される割合が所定値に達したとき、アナウンス装置１７ａは、「照射線量が…％に達しました」といった音声アナウンスを発する。したがって、患者４ａは一方向のビーム照射による治療の進捗状況を把握できる。
【００４１】
また、例えばシステム動作状況に異常が検出されビーム照射が一時停止した場合、表示装置１６ａの進捗情報画面２０のビーム照射情報表示領域２３ｂは消灯し、システム動作状況表示領域２３ｃには“機器調整中”が表示される。また、アナウンス装置１７ａは、「機器の調整中です。そのまま待機してください」といった音声アナウンスを発する。これにより、患者４ａは、ビーム照射が一時的な停止状態にあり、待機すればよいことを確認することができる。
【００４２】
以上のように本実施形態においては、情報提供システム１５ａ，１５ｂは、ビーム照射準備中及びビーム照射中の進捗情報を取得し、その取得した進捗情報を表示装置１６ａ，１６ｂやアナウンス装置１７ａ，１７ｂにより患者４ａ，４ｂに提供する。これにより、患者４ａ，４ｂに進捗情報を知らせることができ、患者４ａ，４ｂの不安感を和らげ、安心感を与えることができる。また、患者４ａ，４ｂからの情報提示要求（すなわちアカウンタビリティ）に容易に対応することが可能となる。
【００４３】
なお、上記一実施形態では、表示装置１６ａ，１６ｂに表示される進捗情報画面２０は、図２に示す形態を例にとって説明したが、これに限られない。このような変形例を、図３及び図４により説明する。
【００４４】
図３は、第１の変形例による進捗情報画面を表す図である。なお、この図３において、上記一実施形態と同等の部分には同一の符号を付し、適宜説明を省略する。
【００４５】
第１の変形例では、進捗情報画面２０Ａは、患者情報表示領域２１と、照射準備進捗情報表示領域２４と、照射進捗情報表示領域２３とで構成されている。照射準備進捗情報表示領域２４は、患者位置決めの進捗情報表示領域２４ａと、加速器準備の進捗情報表示領域２４ｂと、照射装置準備の進捗情報表示領域２４ｃとを有し、これら進捗情報領域２４ａ〜２４ｃは、各準備が完了したときに背景色が変わるようになっている。このような第１の変形例においても、上記一実施形態同様の効果を得ることができる。
【００４６】
図４は、第２の変形例による進捗情報画面を表す図である。なお、この図４において、上記一実施形態及び第１の変形例と同等の部分には同一の符号を付し、適宜説明を省略する。
【００４７】
第２の変形例では、進捗情報画面２０Ｂは、患者情報表示領域２１と、照射準備進捗情報表示領域２４と、照射進捗情報表示領域２３と、照射治療進捗情報表示領域２５とで構成されている。照射治療進捗情報領域２５は、例えば複数の方向からのビーム照射を実施する場合に、各ビーム照射方向の目標照射線量を合算した全体目標照射線量に対する、各ビーム照射方向の積算照射量を合算した全体積算照射の割合（到達度）を棒グラフで表示するようになっている。このような第２の変形例においても、上記一実施形態同様の効果を得ることができる。また、本変形例においては、患者は複数方向のビーム照射による治療全体の進捗状況を把握できる。
【００４８】
なお、上記一実施形態においては、粒子線治療システムは、１つの加速器１に対し２つの照射室２ａ，２ｂを備えた構成を例にとって説明したが、これに限られず、例えば１つの加速器に対し１つの照射室を備えた構成、若しくは１つの加速器に対し３つ以上の照射室を備えた構成としてもよい。また、上記一実施形態においては、全系制御システム１４が照射スケジュールを決定する場合を例にとって説明したが、これに限られず、例えば照射スケジュールを決定するスケジュール管理システムを別途備えさせてもよい。また、上記一実施形態においては、照射室２ａ，２ｂにそれぞれ対応する照射制御システム１２ａ，１２ｂを備えた構成を例にとって説明したが、これに限られず、例えば複数の照射室を統括する照射制御システムを備えた構成としてもよい。また、上記一実施形態においては、照射室２ａ，２ｂにそれぞれ対応する情報提供システム１５ａ，１５ｂを備えた構成を例にとって説明したが、これに限られず、例えば複数の照射室を統括する情報提供システムを備えた構成としてもよいし、また例えば情報提供システムの機能を全系制御システムに持たせた構成としてもよい。これらの場合も、上記同様の効果を得ることができる。
【００４９】
また、上記一実施形態においては、情報提供システム１５ａ，１５ｂは、ビーム照射準備中の進捗情報及びビーム照射中の進捗情報をともに取得し、その進捗情報を表示装置１６ａ，１６ｂ及びアナウンス装置１７ａ，１７ｂにより患者に提供する構成を例にとって説明したが、これに限られない。すなわち、例えば、情報提供システムは、ビーム照射準備中の進捗情報のみを収集し、その進捗情報を表示装置及びアナウンス装置により患者に提供する構成としてもよい。また、例えば、情報提供システムは、ビーム照射中の進捗情報のみを収集し、その進捗情報を表示装置及びアナウンス装置により患者に提供する構成としてもよい。
【００５０】
また、例えば、情報提供システムは、複数の進捗情報項目（上述した患者の認証情報、患者位置決めの進捗情報、加速器及びビーム輸送系の準備の進捗情報、照射装置の準備の進捗情報、照射経過情報、ビーム照射情報、並びにシステム動作情報等）のうちいずれかを選択可能な設定装置（図示せず）を有し、この設定装置で選択した項目の進捗情報を表示装置及びアナウンス装置により提供するようにしてもよい。このような場合も、上記同様の効果を得ることができる。
【図面の簡単な説明】
【００５１】
【図１】本発明の粒子線治療システムの一実施形態の全体構成を表す概略図である。
【図２】本発明の粒子線治療システムの一実施形態を構成する表示装置の進捗情報画面を一例として表す図である。
【図３】本発明の粒子線治療システムの第１の変形例による表示装置の進捗情報画面を表す図である。
【図４】本発明の粒子線治療システムの第２の変形例による表示装置の進捗情報画面を表す図である。
【符号の説明】
【００５２】
１              加速器
２ａ，２ｂ      照射室
３              ビーム輸送系
４ａ，４ｂ      患者
６ａ，６ｂ      照射装置
１５ａ，１５ｂ  情報提供システム（情報収集手段）
１６ａ，１６ｂ  表示装置（情報提供手段）
１７ａ，１７ｂ  アナウンス装置（音出力装置、情報提供手段）
【図１】
2008136707.tif 000003
【図２】
2008136707.tif 000004
【図３】
2008136707.tif 000005
【図４】
2008136707.tif 000006